(57)【要約】【課題】系統図の拡大表示要求があったときに、単にオリジナルの系統図の情報を拡大表示するだけでなく、拡大情報に関連して要求される情報を運転員の操作によらず自動的に合成することができるプラント監視制御装置を提供する。【解決手段】プラント機器と制御演算部とマンマシン制御部とからなるプラント監視制御装置であって、制御演算部は、プロセス入出力手段と、伝送処理手段と、ロジック演算処理手段とを備え、マンマシン制御部は、伝送処理手段と、系統図情報テーブルと、系統図メニューテーブルと、系統図表示データを作成する表示処理手段と、系統図拡大表示テーブルと、系統図拡大率テーブルと、系統図拡大範囲テーブルと、表示処理手段からの情報に上記夫々のテーブルの情報を付加して系統図表示データを作成する拡大表示処理手段と、対話処理手段と、表示装置とを備える。【選択図】図１
2005275784.tif 000002
【特許請求の範囲】
【請求項１】
プラント機器と、前記プラント機器とデータの入出力を行う制御演算部と、伝送処理手段を介して前記制御演算部からの情報を受入れて表示するとともに、前記伝送処理手段を介して運転員からの情報を前記制御演算部へ伝送するマンマシン制御部とから構成されたプラント監視制御装置において、
前記制御演算部は、前記プロセス入出力手段からのプロセス値及び前記マンマシン制御部から伝送処理手段を介して伝えられる情報に基づいて、前記プラント機器の制御演算処理を行なう制御ロジック演算処理手段を備え、
前記マンマシン制御部は、前記伝送処理手段からの情報とプラント機器の系統図情報が格納された系統図情報テーブルと系統図の階層構造が格納された系統図メニューテーブル及び対話装置からの情報を処理する対話処理手段からの情報に基づいて、系統図表示データを作成する表示処理手段と、
前記表示処理手段からの情報と系統図の拡大情報が格納された系統図拡大表示テーブルと系統図の詳細情報が格納されている系統図詳細表示テーブル及び前記対話処理手段からの情報に基づいて、系統図表示データを作成する拡大表示処理手段と、
前記拡大表示処理手段からの表示データを表示するための表示装置とを備え、
前記対話処理手段は、対話装置からの情報を処理して、前記伝送処理手段と前記表示処理手段及び前記拡大表示処理手段へ伝えることを特徴とするプラント監視制御装置。
【請求項２】
プラント機器と、前記プラント機器とデータの入出力を行う制御演算部と、伝送処理手段を介して前記制御演算部からの情報を受入れて表示するとともに、前記伝送処理手段を介して運転員からの情報を前記制御演算部へ伝送するマンマシン制御部とから構成されたプラント監視制御装置において、
前記制御演算部は、前記プロセス入出力手段からのプロセス値及び前記マンマシン制御部から伝送処理手段を介して伝えられる情報に基づいて、前記プラント機器の制御演算処理を行なう制御ロジック演算処理手段を備え、
前記マンマシン制御部は、前記伝送処理手段からの情報とプラント機器の系統図情報が格納された系統図情報テーブルと系統図の階層構造が格納された系統図メニューテーブル及び対話装置からの情報を処理する対話処理手段からの情報に基づいて、系統図表示データを作成するとともに、拡大時のウィンドウ表示の数を各画面で個別に制限する表示処理手段と、
前記表示処理手段からの情報と系統図の拡大表示範囲が格納された系統図拡大範囲テーブルと系統図の拡大情報が格納された系統図拡大表示テーブルと系統図の拡大率が格納された系統図拡大率テーブル及び前記対話処理手段からの情報に基づいて、系統図表示データを作成し、拡大表示部分とオリジナルの部分とを幅の広い直線で結び、拡大表示部分の線の太さを自動的に選択する拡大表示処理手段と、
前記拡大表示処理手段からの表示データを表示するための表示装置とを備え、
前記対話処理手段は、対話装置からの情報を処理して、前記伝送処理手段と前記表示処理手段及び前記拡大表示処理手段へ伝えることを特徴とするプラント監視制御装置。
【請求項３】
前記拡大表示処理手段は、拡大や詳細表示された箇所の情報を格納する拡大詳細表示記憶テーブルをさらに加え、前記表示処理手段からの情報と前記系統図拡大表示テーブルと前記系統図詳細表示テーブル及び前記拡大詳細表示記憶テーブルの情報に基づいて、系統図表示データを作成することを特徴とする請求項１または２に記載のプラント監視制御装置。
【請求項４】
前記拡大表示処理手段は、運転員が系統図上の対象箇所を指示することなく、自動的に拡大または詳細表示するための情報が格納された自動表示テーブルをさらに加え、前記表示処理手段からの情報と前記系統図拡大表示テーブルと前記系統図詳細表示テーブルと前記拡大詳細表示記憶テーブル及び自動表示テーブルの情報に基づいて、系統図表示データを作成することを特徴とする請求項３に記載のプラント監視制御装置。
【請求項５】
前記拡大表示処理手段は、前記自動表示テーブルに替えて、前記伝送処理手段から通知されたプロセス値によって、前記拡大詳細表示記憶テーブルを運転員の指示によらず自動的に編集する拡大詳細編集手段を加え、
前記表示処理手段からの情報と前記系統図拡大表示テーブルと前記系統図詳細表示テーブル及び前記拡大詳細表示記憶テーブルの情報に基づいて、系統図表示データを作成することを特徴とする請求項４に記載のプラント監視制御装置。
【請求項６】
前記拡大表示処理手段は、拡大表示時に付加すべき詳細情報を前記系統図詳細表示テーブルから検索し、検索された該詳細情報がオリジナルの系統図にマッチングさせ、拡大表示時に、表示が重ならないように自動的に系統図レイアウトを補正するリレイアウト処理手段を、前記拡大表示処理手段の内部に設けたことを特徴とする請求項１に記載のプラント監視制御装置。
【発明の詳細な説明】
【技術分野】
【０００１】
本発明は、プラント機器の制御と監視を行なうプラント監視制御装置における表示処理手段に関する。
【背景技術】
【０００２】
図２５は、従来のプラント監視制御装置の構成図である。本装置は、プラント機器１０ａ、制御演算部１１及びマンマシン制御部１２から構成されている。
【０００３】
プラント機器１０ａからのプロセス値は、制御演算部１１へ入力され、マンマシン制御部１２からの制御指令に従って制御演算が行われる。演算結果は、折返しプラント機器１０ａへ伝えられて、制御が実行される。また、制御演算部１１からマンマシン制御部１２へ伝えられたプロセス値は、運転員に伝えられ、運転員からの操作指令があれば、これもプラント機器１０ａに送られる。
【０００４】
以下に、図２５の各構成要素について説明する。
【０００５】
プラント機器１０ａは、回転補機、電動弁やそれらに繋がるセンサ、各補機を個別に制御している制御装置等である。
【０００６】
プロセス入出力手段１０ｂは、プラント機器１０ａからの状態信号を制御演算部１１へ取り込み、また、その逆を行なうための手段であり、ＰＩ／０基板などからなる制御装置と外部機器とのインターフェイスである。制御ロジック演算処理手段１０ｃは、プロセス入出力手段１０ｂより制御演算部１１内部に取り込まれたプラント機器情報と運転員からの操作指示を届ける伝送処理手段１０ｄの情報に基づいて、次にどのような制御を行なうべきかについて、内蔵された制御ソフトウェアによって演算を行なう。
【０００７】
演算結果は、プラント機器１０ａへ送るためにプロセス入出力手段１０ｂに送られるものと、運転員へ送るためにマンマシン制御部１２の伝送処理手段１０ｄへ送られるものとに分かれる。
【０００８】
伝送処理手段１０ｄは、制御演算部１１とマンマシン制御部１２との間の情報伝達を行なうために設けられた手段である。
【０００９】
表示処理手段１０ｅは、伝送処理手段１０ｄでマンマシン制御部１２に伝えられたプラント情報を、画像情報に加工して運転員へ伝える。その加工は、系統図情報テーブル１０ｆと系統図メニューテーブル１０９及び対話処理手段１０ｈから伝えられる操作情報に基づいて行なわれ、加工された結果は、１枚の画像として表示装置１０ｊへ出力される。表示処理手段１０ｅの処理フローを図２６に示す。
【００１０】
系統図情報テーブル１０ｆは、系統図の画像情報が格納されたテーブルである。補機や数値、系統配管の画像情報からなり、これらの画像情報は、表示処理手段１０ｅにより、取り出され、表示データに加工され、表示装置１０ｊへ通知される。
【００１１】
系統図メニューテーブル１０ｇは、系統図を表示する際のメニュー情報を格納したテーブルであり、系統図の階層構造が記憶されている。対話処理手段１０ｈの要求があると、表示処理手段１０ｅにより、本テーブルが検索され、表示すべき系統図が決定される。
【００１２】
表示装置１０ｊは、表示処理手段１０ｅにより作成された系統図表示情報を、運転員へ伝達するための装置である。ＣＲＴデイスプレイや大型スクリーン等がこれに当たる。
【００１３】
対話装置１０ｉは、運転員からの操作指令を受付ける装置である。受付けられた信号は、対話処理手段１０ｈへ通知され、伝送処理手段１０ｄと表示処理手段１０ｅへ通知される。キーポードやマウス等がこれに当たる。
【００１４】
上述のように構成された従来のプラント監視制御装置では、以下の手順で装置の運転が行われる。
【００１５】
プロセス入出力手段１０ｂが、プラント機器１０ａから、弁の開度やモータの回転数、流量などのプロセス値を制御演算部１１へ取り込む。取り込まれた情報は、制御ロジック演算処理手段１０ｃへ送られる。制御ロジック演算処理手段１０ｃでは、内部に内蔵された制御ソフトウェアによって制御演算が行われる。その演算結果は、プラント機器１０ａへそのまま出力されるものと、伝送処理手段１０ｄへ出力されるものとに分れる。
【００１６】
伝送処理手段１０ｄへ出力された情報は、運転員へ伝える形に加工するために、マンマシン制御部１２へ伝えられる。マンマシン制御部１２では、伝送処理手段１０ｄからの情報が、表示処理手段１０ｅへ伝えられる。
【００１７】
一方、運転員の操作指令は、対話装置１０ｉにて受付けられ、対話処理手段１０ｈに送られて、伝送処理手段１０ｄへ送られるものと、表示処理手段１０ｅへ送られるものとに分けられる。
【００１８】
伝送処理手段１０ｄへ伝えられた指令は、そのまま制御ロジック演算処理手段１０ｃに伝えられて、制御演算に用いられる。一方、表示処理手段１０ｅに伝えられた指令は、運転員へ伝え返すための情報を作成する。
【００１９】
表示処理手段１０ｅでは、対話処理手段１０ｈの指令が要求している系統図表示を、系統図メニューテーブル１０ｇを検索して特定する。特定ができた場合は、対象の系統図情報を系統図情報テーブル１０ｆから取り出し、その情報と伝送処理手段１０ｄからのプロセス値情報を合成して表示情報とする。
【００２０】
表示情報は、表示装置１０ｊへ伝えられ、運転員は、その情報に基づいてプラントの運転監視を行ない、次のプラント操作指令を対話装置１０ｉへ入力する。
【００２１】
図２５に示した従来のプラント監視制御装置では、運転員の要求する系統図情報を表示装置に出力する際に、その系統図を構成する部品の表示サイズは、全ての画面において一律に決まっており、一部分のみを注目して監視したいという要求が発生した場合には、これに応えることができないという問題があった。
【００２２】
この対応策として、ウィンドウ表示により部分画面を拡大し、元の全体画面の中の位置付けを見ながら、効率的にプラントの詳細監視及び操作を行う方法（例えば、特許文献１参照）、あるいは、拡大画面により拡大結果を見ながら、拡大指定領域を選ぶ方法（例えば、特許文献２参照）、等が提案されている。
【００２３】
これらの方法は、オベレータが表示されている系統図の一部を拡大表示したいときに用いるものであるが、その表示は、単にオリジナルの画像をそのまま拡大表示するだけに止まっている。
【特許文献１】特開平７−３３４２３０号公報（第５員、［００２４］）
【特許文献２】特開平５−３２３９１８号公報（第７員、［００７１］）
【発明の開示】
【発明が解決しようとする課題】
【００２４】
従来のプラント監視制御装置では、その系統図は、単にオリジナルの画像をそのまま拡大表示するだけのものであるから、拡大表示に加えて以下のような課題があった。
【００２５】
従来の系統図では、系統毎に表示情報が固定されているので、例えば、特定の系統の中の１部分の配管ラインにのみ注目して表示したいというような要求があっても、その表示は不可能であり、単に拡大表示するだけでなく、系統の特定化を図る必要があった。
【００２６】
また、従来の系統図では、系統毎に表示情報が固定されており、選ばれた補機類のみの表示を行なっているので、例えば、選ばれていない配管ラインに異常が発生した場合には、運転員がその詳細な情報を見るために、別に用意された詳細表示用の系統図を表示し直さなけれはならず、単に拡大表示するだけでなく、詳細表示化を図る必要があった。
【００２７】
また、従来の系統図では、運転員が特定の系統についてだけ常に詳細な情報を表示したいと考えた場合には、予め用意された詳細表示用の系統図を呼び出して表示させていたため、１台の表示装置に表示する系統図が無闇に多くなってしまったので、単に拡大表示するだけでなく、詳細表示用系統図の呼び出しの簡易化を図る必要があった。
【００２８】
また、従来の系統図では、運転員が希望する特定の補機やバルブは、運転員が毎回その表示仕様を設定していたが、この設定を行うことなく表示させたいという要求があったので、単に拡大表示するだけでなく、特定仕様の自動表示化を図る必要があった。
【００２９】
また、従来の系統図では、プラント運転中に何らかの異常が発生した場合、運転員は、その異常個所を特定するために、対象の系統を手動で表示させ、その系統表示を見渡して異常個所の特定を行なっていたので、単に拡大表示するだけでなく、異常個所の特定の簡易化を図る必要があった。
【００３０】
さらに、従来の系統図では、運転員の要求によって系統図上に何らかの情報を追加表示する場合には、その表示は、ポップアップウィンドウ等、オリジナルの系統図とは別の、新たな画面ウィンドウを表示していた。この表示は、系統図の一部であるにも関わらず、全く別の画面のように運転員が認識してしまう可能性があったので、単に拡大表示するだけでなく、オリジナルの系統図画面上にシームレスな追加表示化を図る必要があった。
【００３１】
したがって、本願発明の目的は、従来の系統図において、系統図の拡大表示要求があったときに、単にオリジナルの系統図の情報を拡大表示するだけでなく、拡大情報に関連して要求される情報を運転員の操作によらず自動的に合成することにより、系統図画面の表示内容を充実し、運転員の系統図に対する操作量を削減して、プラント監視効率の向上が図れるプラント監視制御装置を提供することである。
【課題を解決するための手段】
【００３２】
上記の目的を解決するために、請求項１のプラント監視制御装置は、プラント機器と、プラント機器とデータの入出力を行う制御演算部と、伝送処理手段を介して制御演算部からの情報を受入れて表示するとともに、伝送処理手段を介して運転員からの情報を制御演算部へ伝送するマンマシン制御部とから構成されたプラント監視制御装置において、制御演算部は、プロセス入出力手段からのプロセス値及びマンマシン制御部から伝送処理手段を介して伝えられる情報に基づいて、プラント機器の制御演算処理を行なう制御ロジック演算処理手段を備え、マンマシン制御部は、伝送処理手段からの情報とプラント機器の系統図情報が格納された系統図情報テーブルと系統図の階層構造が格納された系統図メニューテーブル及び対話装置からの情報を処理する対話処理手段からの情報に基づいて、系統図表示データを作成する表示処理手段と、表示処理手段からの情報と系統図の拡大情報が格納された系統図拡大表示テーブルと系統図の詳細情報が格納されている系統図詳細表示テーブル及び対話処理手段からの情報に基づいて、系統図表示データを作成する拡大表示処理手段と、拡大表示処理手段からの表示データを表示するための表示装置とを備え、対話処理手段は、対話装置からの情報を処理して、伝送処理手段と表示処理手段及び拡大表示処理手段へ伝えることを特徴とする。
【００３３】
請求項２のプラント監視制御装置は、プラント機器と、プラント機器とデータの入出力を行う制御演算部と、伝送処理手段を介して制御演算部からの情報を受入れて表示するとともに、伝送処理手段を介して運転員からの情報を制御演算部へ伝送するマンマシン制御部とから構成されたプラント監視制御装置において、制御演算部は、プロセス入出力手段からのプロセス値及びマンマシン制御部から伝送処理手段を介して伝えられる情報に基づいて、プラント機器の制御演算処理を行なう制御ロジック演算処理手段を備え、マンマシン制御部は、伝送処理手段からの情報とプラント機器の系統図情報が格納された系統図情報テーブルと系統図の階層構造が格納された系統図メニューテーブル及び対話装置からの情報を処理する対話処理手段からの情報に基づいて、系統図表示データを作成するとともに、拡大時のウィンドウ表示の数を各画面で個別に制限する表示処理手段と、表示処理手段からの情報と系統図の拡大表示範囲が格納された系統図拡大範囲テーブルと系統図の拡大情報が格納された系統図拡大表示テーブルと系統図の拡大率が格納された系統図拡大率テーブル及び対話処理手段からの情報に基づいて、系統図表示データを作成し、拡大表示部分とオリジナルの部分とを幅の広い直線で結び、拡大表示部分の線の太さを自動的に選択する拡大表示処理手段と、拡大表示処理手段からの表示データを表示するための表示装置とを備え、対話処理手段は、対話装置からの情報を処理して、伝送処理手段と表示処理手段及び拡大表示処理手段へ伝えることを特徴とする。
【００３４】
請求項３のプラント監視制御装置は、請求項１または２に記載のプラント監視制御装置において、拡大表示処理手段は、拡大や詳細表示された箇所の情報を格納する拡大詳細表示記憶テーブルをさらに加え、表示処理手段からの情報と系統図拡大表示テーブルと系統図詳細表示テーブル及び拡大詳細表示記憶テーブルの情報に基づいて、系統図表示データを作成することを特徴とする。
【００３５】
請求項４のプラント監視制御装置は、請求項３に記載のプラント監視制御装置において、拡大表示処理手段は、運転員が系統図上の対象箇所を指示することなく、自動的に拡大または詳細表示するための情報が格納された自動表示テーブルをさらに加え、表示処理手段からの情報と系統図拡大表示テーブルと系統図詳細表示テーブルと拡大詳細表示記憶テーブル及び自動表示テーブルの情報に基づいて、系統図表示データを作成することを特徴とする。
【００３６】
請求項５のプラント監視制御装置は、請求項４に記載のプラント監視制御装置において、拡大表示処理手段は、自動表示テーブルに替えて、伝送処理手段から通知されたプロセス値によって、拡大詳細表示記憶テーブルを運転員の指示によらず自動的に編集する拡大詳細編集手段を加え、表示処理手段からの情報と系統図拡大表示テーブルと系統図詳細表示テーブル及び拡大詳細表示記憶テーブルの情報に基づいて、系統図表示データを作成することを特徴とする。
【００３７】
請求項６のプラント監視制御装置は、請求項１に記載のプラント監視制御装置において、拡大表示処理手段は、拡大表示時に付加すべき詳細情報を系統図詳細表示テーブルから検索し、検索された該詳細情報がオリジナルの系統図にマッチングさせ、拡大表示時に、表示がかさならないように自動的に系統図レイアウトを補正するリレイアウト処理手段を、拡大表示処理手段の内部に設けたことを特徴とする。
【発明の効果】
【００３８】
本発明によれば、プラント監視制御装置で系統図を表示するときに、運転員が希望する一部分のみを注目して監視することが可能となり、この監視のための機能が、運転員の操作指示によらず、自動的に行われる手段を備えたことにより、系統図画面の表示内容の充実と運転員のプラント監視制御装置への操作量削減によって、プラント監視効率が向上することが期待できる。
【発明を実施するための最良の形態】
【００３９】
系統図において、系統図の拡大表示要求があったときに、オリジナルの系統図の情報を拡大表示するだけでなく、拡大情報に関連する情報を自動的に合成することにより、系統図画面の表示内容を充実し、運転員の系統図に対する操作量を削減して、プラント監視効率の向上が図れるプラント監視制御装置を提供するという目的を効果的に実現した。
【実施例１】
【００４０】
図１は、実施例１のプラント監視制御装置の構成図である。従来の構成図である図２５に、拡大表示手段１ｋ、系統図拡大表示テーブル１ｌ、系統図拡大率テーブル１ｍ及び系統図拡大範囲テーブル１ｎを付加したものである（以下、付加した手段又はテーブルは太枠で囲んである）。
【００４１】
プラント機器１ａ、プロセス入出力手段１ｂ、制御ロジック演算処理手段１ｃ、伝送処理手段１ｄ、表示処理手段１ｅ、系統図情報テーブル１ｆ、系統図メニューテーブル１ｇ、対話処理手段１ｈ、対話装置１ｉ、表示装置１ｊについては、従来の構成と同様である。
【００４２】
拡大表示処理手段１ｋは、表示処理手段１ｅにおいて生成された従来の系統図情報を、対話処理手段１ｈの指令と系統図拡大表示テーブル１ｌと系統図拡大率テーブル１ｍ及び系統図拡大範囲テーブル１ｎの情報によって、一部分を拡大表示させたものに、さらに加工を行う手段である。
【００４３】
系統図拡大表示テーブル１ｌは、図７に示すように、系統図の拡大表示をするための情報が格納されたテーブルである。系統図拡大率テーブル１ｍは、図８に示すように、系統図の拡大表示をする際、その拡大率を格納したテーブルである。系統図拡大範囲テーブル１ｎは、図１０に示すように、系統図の拡大表示をする際、その系統図上の拡大範囲を格納したテーブルである。
【００４４】
図１において、本発明によって追加された拡大表示手段１ｋ、系統図拡大表示テーブル１ｌ、系統図拡大率テーブル１ｍ及び系統図拡大範囲テーブル１ｎの作用について説明する。
【００４５】
拡大表示手段１ｋの処理フローは、図９に示すとおりである。すなわち、対話処理手段１ｈから系統図上のある一部分の拡大表示要求を受け取ると、その部分が拡大可能箇所かどうかについて系統図拡大表示テーブル１ｌを検索する。検索の結果、その箇所が拡大可能箇所であれば、系統図の拡大表示情報（拡大の形と大きさ）を同テーブルから読み出す。そして拡大箇所で表示し得る系統図の拡大率を系統図拡大率テーブル１ｍから読み出し、さらに系統図のうち、どの範囲を拡大表示するのかという情報を系統図拡大範囲テーブル１ｎから読み出す。
【００４６】
読み出したそれぞれの情報を元に、通常、表示処理手段１ｅで作成されて、拡大表示手段１ｋに伝えられている系統図の中、拡大表示を要求された対象範囲を、任意の拡大率で拡大した画像データを生成する。拡大された画像は、その元となった系統図上に合成され、さらに、拡大表示部分表示装置３ｊへ伝えられる。図１１にその動作例を示す。
【００４７】
本実施例によれば、従来のプラント監視制御装置では、系統図を表示するとき、その表示は系統図として登録された画面情報に従ったものであり、運転員が一部分を注目して監視したい場合、すなわち、拡大表示したい場合があっても、そのような拡大表示をすることは不可能であったが、本発明によって、指定した箇所を固定拡大率で拡大又は縮小するか、運転員が希望する任意の拡大率で系統図の一部分を表示するだけでなく、さらに、系統図拡大範囲テーブルを用いて拡大又は縮小表示すべき部品を複数格納することによって、対象範囲の部品を一度に表示することができるので、運転員の系統図に対する操作量を削減して、プラント監視効率の向上を図ることができる。
【実施例２】
【００４８】
図２は、本発明の実施例２のプラント監視制御装置の構成図である。図２５に示す従来のプラント監視制御装置の構成に、拡大表示手段２ｋ、系統図拡大表示テーブル２ｌ、系統図詳細表示テーブル２ｃを付加したものである。プラント機器２ａ、プロセス入出力手段２ｂ、制御ロジツク演算処理手段２ｃ、伝送処理手段２ｄ、表示処理手段２ｅ、系統図情報テーブル２ｆ、系統図メニューテーブル２９、対話処理手段２ｈ、対語装置２ｉ、表示装置２ｊ、系統図拡大表示テーブル２ｌについては、実施例１のプラント監視制御装置の構成と同様である。
【００４９】
拡大表示処理手段２ｋは、表示処理手段２ｅにおいて生成された従来の系統図情報の一部分を、対話処理手段２ｈの指令と系統図拡大表示テーブル２ｌの情報によって一部分を拡大表示させた後、さらに系統図詳細表示テーブル２ｏの情報によって、系統図の詳細表示情報を付加する手段である。図１２に拡大表示処理手段２ｋの処理フローを示す。
【００５０】
系統図詳細表示テーブル２ｏは、図１３に示すように、系統図の拡大表示をする際、その拡大率に応じて系統図上に、より評紺な表示を可能にするための情報を格納したテーフルである。
【００５１】
図２を用いて、本発明によって追加された系統図詳細表示テーブル２ｏと拡大表示手段２ｋの作用について説明する。
【００５２】
拡大表示手段２ｋの処理フローは図１２に示したとおりである。対話処理手段２ｈから、系統図上のある一部分の拡大表示要求を受け取ると、その部分が拡大可能箇所かどうかについて系統図拡大表示テーブル２ｌを検索する。検索の結果、その箇所が拡大可能箇所であれば、系統図の拡大表示情報（拡大の形と大きさ）を同テーブルから読み出す。さらに、その拡大表示時に付加すべき詳細情報があるかどうかについて系統図詳細表示テーブル２ｏを検索し、詳細情報を読み出す。
【００５３】
読み出されたそれぞれの情報を元に、表示処理手段２ｅで作成されて拡大表示手段２ｋに伝えられている通常の系統図の対象箇所を、任意の拡大率で拡大し、詳細情報を追加した画像データを生成する。また、拡大時のウィンドウ表示の数を各画面で個別に制限する機能も持っている。さらに、拡大表示部分とオリジナルの部分とを幅の広い直線で結び、拡大表示部分の線の太さを自動的に選択することもできる。生成された画像は、その元となった系統図上に合成され、表示装置２ｊへ伝えられる。図１４に、その動作例を示す。
【００５４】
本実施例によれば、従来のプラント監視制御装置では、系統図を表示する場合、その表示は、系統図として選ばれて登録された画面情報に従ったものであり、例えば、選ばれていない配管ラインに異常が発生したので、運転員がその詳細を見たい場合、別に用意された詳細表示用の系統図を表示し直さなければならなかったが、本発明によって、指定した箇所を固定拡大率で拡大又は縮小するか、運転員が希望する任意の拡大率で系統図の一部分を表示するだけでなく、対象箇所の詳細な情報を、オペレータの指示がなくとも自動的に追加表示することができるので、プラント監視効率の向上を図ることができる。
【実施例３】
【００５５】
図３は、本発明の実施例３のプラント監視制御装置の構成図である。図２に示す実施例２のプラント監視制御装置の構成に、拡大詳細表示記憶テーブル３ｐを付加したものである。
【００５６】
プラント機器３ａ、プロセス入出力手段３ｂ、制御ロジック演算処理手段３ｃ、伝送処理手段３ｄ、表示処理手段３ｅ、系統図情報テーブル３ｆ、系統図メニューテーブル３ｇ、対話処理手段３ｈ、対話装置３ｉ、表示装置３ｊ、系統図拡大表示テーブル３ｌ、系統図詳細表示テーブル３ｏについては、実施例２のプラント監視制御装置の構成と同様である。
【００５７】
拡大表示処理手段３ｋは、表示処理手段３ｅにおいて生成された従来の系統図情報の一部分を、対話処理手段３ｈの指令と系統図拡大表示テーブル３ｌと系統図拡大率テーブル３ｍの情報によって、一部分を拡大表示させた後、更に系統図詳細表示テーブル３ｏの情報によって系統図の詳細表示情報を加工して付加するとともに、その加工情報を拡大詳細表示記憶テーブル３ｐに格納する機能を備えている。図１５に拡大表示処理手段３ｋの処理フローを示す。
【００５８】
拡大詳細表示記憶テーブル３ｐは、図１６に示すように、系統図の拡大又は縮小や詳細表示をした場合に、そのような表示を行った箇所を、対象となる系統、補機毎に記憶するためのテーブルである。
【００５９】
図３を用いて、本発明によって追加された拡大詳細表示記憶テーブル３ｐと拡大表示手段３ｋの作用について説明する。
【００６０】
拡大表示手段３ｋの処理フローは、図１５に示したとおりである。対話処理手段３ｈから、系統図上のある一部分の拡大表示要求を受け取ると、その部分が拡大可能箇所かどうかについて系統図拡大表示テーブル３ｌを検索する。検索の結果、その箇所が拡大可能箇所であれば系統図の拡大表示情報（拡大の形と大きさ）を同テーブルから読み出す。さらに、その拡大表示時に付加すべき詳細情報があるかどうかについて統図詳細表示テーブル３ｏを検索し、詳細情報を読み出す。
【００６１】
読み出されたそれぞれの情報を元に、表示処理手段３ｅで作成されて拡大表示手段３ｋに伝えられている通常の系統図の対象箇所を、任意の拡大率で拡大し、詳細情報を追加した画像データを生成する。拡大された画像は、その元となった系統図上に合成され、表示装置３ｊへ伝えられる。表示装置３ｊへ画像データが送られる際、拡大または縮小または詳細表示を行った箇所が記憶の対象であるかどうかの判定が行われ、もしもその情報が記憶対象（運転員が指定するもの）であれば、拡大詳細表示記憶テーブル３ｐに記憶される。拡大詳細表示記憶テーブル３ｐに一旦記憶された記憶対象は、拡大表示処理手段３ｋ内で周期的に読み出しが行われる。記憶されている対象箇所は、拡大や詳細という画像データ加工処理が運転員の指令なしに次回から自動的に行われて、表示される。図１７に、系統図表示の動作例を示す。
【００６２】
本案施例によれば、従来のプラント監視制御装置では、運転員が特定の系統についてだけ常に詳細な情報を表示したいと考えた場合、予め用意された詳細表示用の系統図を呼出して表示させておく方法しかなかったが、本発明によって、指定した箇所を固定拡大率で拡大又は縮小するか、運転員が希望する任意の拡大率で系統図の一部分を表示し、対象箇所に詳細な情報を自動的に追加表示する。さらに、そのような表示指定を行った箇所を記憶することにより、運転員が次回に同じ系統図を表示した際に、運転員の指示がなくても自動的に前回と同様の表示処理が行われるので、系統図画面の表示内容を充実し、運転員の系統図に対する操作量を削減して、プラント監視効率の向上を図ることができる。
【実施例４】
【００６３】
図４は、本発明の実施例４のプラント監視制御装置の構成図である。図３に示す実施例３のプラント監視制御装置の構成に、自動表示テーブル４ｑを付加したものである。
【００６４】
プラント機器４ａ、プロセス入出力手段４ｂ、制御ロジック演算処理手段４ｃ、伝送処理手段４ｄ、表示処理手段４ｅ、系統図情報テーブル４ｆ、系統図メニューテーブル４ｇ、対話処理手段４ｈ、対話装置４ｉ、表示装置４ｊ、系統図拡大表示テーブル４ｌ、系統図詳細表示テーブル４ｏ、拡大詳細表示記憶テーブル４ｐについては、実施例３のプラント監視制御装置の構成と同様である。
【００６５】
拡大表示処理手段４ｋは、表示処理手段４ｅにおいて生成された従来の系統図情報の一部分を、対話処理手段４ｈの指令と系統図拡大表示テーブル４ｌの情報によって一部分を拡大表示させた後、更に系統図詳細表示テーブル４ｏの情報によって系統図の詳細表示情報を付加したものに加工するとともに、その加工情報を拡大詳細表示記憶テーブル４ｐに格納する機能を備えている。さらに、拡大や詳細という表示のための加工のタイミングを、自動表示テーブル４ｑの情報によってコントロールする機能を備えている。図１８に、拡大表示処理手段４ｋの処理フローを示す。
【００６６】
拡大詳細表示記憶テーブル４ｑは、図１９に示すように、系統図上の座標情報と、その座標位置において系統図の部分拡大や詳細表示を運転員の指示なしに自動的に行なうかどうかの情報を格納したテーブルである。
【００６７】
図４を用いて、本発明によって追加された自動表示テーブル４ｑと拡大表示手段４ｋの作用について説明する。
【００６８】
拡大表示手段４ｋの処理フローは、図１８に示されている。対話処理手段４ｈから伝えられた情報が座標情報であるか否かを判定し、座標情報であれば、自動表示テーブル４ｑを検索して座標位置で拡大又は詳細表示を自動的に行なうか否かを判断する。自動表示箇所であれば、直ちに拡大又は詳細表示のための処理が実行される。自動表示箇所でない場合は、拡大又は詳細表示要求であるか否かを判断する。
【００６９】
まず、拡大要求であれば、その部分が拡大可能箇所かどうかについて系統図拡大表示テーブル４ｌを検索する。検索の結果、その箇所が拡大可能箇所であれば系統図の拡大表示情報（拡大の形と大きさ）を同テーブルから読み出す。さらに、その拡大表示時に付加すべき詳細情報があるかどうかについて系統図詳細表示テーブル４ｏを検索し、詳細情報を読み出す。
【００７０】
読み出されたそれぞれの情報を元に、表示処理手段４ｅで作成されて拡大表示手段４ｋに伝えられている通常の系統図の対象箇所を、任意の拡大率で拡大し、詳細情報を追加した画像データを生成する。拡大画像は、その元となった系統図と合成され、表示装置４ｊへ伝えられる。
【００７１】
具体例として、図２０は、ＶＬＶ−Ｃの近傍へマウスポインタが移動した場合、その座標位置は、自動表示対象であるので、運転員が拡大等の操作をすることなく、運転員の指示によらないで自動的に拡大詳細画面が表示されることを示している。
【００７２】
本実施例によれば、指定した箇所を固定拡大率で拡大又は縮小するとともに、運転員が希望する任意の拡大率で系統図の一部分を表示し、対象箇所に詳細な情報を自動的に追加表示することができるだけでなく、そのような表示を運転員の指示を待たずに、装置が自動的に行なう機能を有することから、系統図画面の表示内容が充実できるとともに、運転員の系統図に対する操作量を削減できるので、プラント監視効率の向上を図ることができる。
【実施例５】
【００７３】
図５は、本発明の実施例５のプラント監視制御装置の構成図である。図３に示した実施例３のプラント監視制御装置の構成に、拡大詳細編集手段５ｒを付加したものである。
【００７４】
プラント機器５ａ、プロセス入出力手段５ｂ、制御ロジック演算処理手段５ｃ、伝送処理手段５ｄ、表示処理手段５ｅ、系統図情報テーブル５ｆ、系統図メニューテーブル５ｇ、対話処理手段５ｈ、対話装置５ｉ、表示装置５ｊ、系統図拡大表示テーブル５ｌ、系統図詳細表示テーブル５ｏ、拡大詳細表示記憶テーブル５ｐ、拡大表示処理手段５ｋについては実施例３のプラント監視制御装置の構成と同様である。
【００７５】
拡大詳細編集手段５ｒは、図２１に示すように、伝送処理手段５ｄに伝えられているプラント状態情報を検索し、その中で補機やセンサの異常があった場合に、拡大詳細表示記憶テーブル５ｐを検索し、対象の補機やセンサを拡大表示あるいは詳細表示する内容を、同テーブルに記憶するための編集手段である。
【００７６】
図５を用いて、本発明によって追加された拡大詳細編集手段５ｒの作用について説明する。実施例３の発明においては、系統図の拡大や詳細表示が必要となった時に、その表示をするだけでなく、その表示対象の補機を記録するためのテーブルとして、拡大詳細表示記憶テーブル５ｐが存在している。拡大詳細表示記憶テーブル５ｐに記憶された補機については、運転員が毎回表示操作をしなくても自動的に拡大等の表示が行われる。
【００７７】
本発明は、これまで運転員が編集していた拡大詳細表示記憶テーブル５ｐに記憶される情報を、伝送処理手段５ｄからのプラント情報によって運転員の指示がなくても自動的に更新するものである。
【００７８】
伝送処理５ｄからの情報を元に拡大詳細編集手段５ｒは、系統図上で表示すべき内容く砿大又は詳細の情報）を、拡大詳細表示記憶テーブル５ｐに格納する。格納された情報は、実施例３と同様の処理を経て表示装置５ｊへ出力される。拡大詳細編集手段５ｒの処理フローは、図２１に示したとおりであり、その具体例は、図２２に示す。
【００７９】
本実施例によれば、指定した箇所を固定拡大率で拡大又は縮小するか、運転員が希望する任意の拡大率で系統図の一部分を表示し、対象箇所に詳細な情報を運転員の指示がなくても自動的に追加表示することができる。
【００８０】
さらに、そのような表示を運転員の指示を待たずに、装置が異常となった補機について自動的に拡大表示を行なう機能を有することから、系統図画面の表示内容の充実だけでなく、運転員の系統図に対する操作量の削減によって、プラント監視効率の向上を図ることができる。
【実施例６】
【００８１】
図６は、本発明の実施例６のプラント監視制御装置の構成図である。図２に示した実施例２のプラント監視制御装置の構成の拡大表示処理手段６ｋの中に、リレイアウト処理手段６ｓを付加したものである。
【００８２】
プラント機器６ａ、プロセス入出力手段６ｂ、制御ロジツク演算処理手段６ｃ、伝送処理手段６ｄ、表示処理手段６ｅ、系統図情報テーブル６ｆ、系統図メニューテーブル６ｇ、対話処理手段６ｈ、対話装置６ｉ、表示装置６ｊ、系統図拡大表示テーブル６ｌ、系統図詳細表示テーブル６ｏについては、実施例２のプラント監視制御装置の構成と同様である。
【００８３】
拡大表示処理手段６ｋは、表示処理手段６ｅにおいて生成された従来の系統図情報の一部分を、対話処理手段６ｈの指令と系統図拡大表示テーブル６ｌと系統図拡大率テーブル６ｍの情報によって拡大表示させた後、系統図詳細表示テーブル６ｏの情報によって系統図の詳細表示情報を付加するとともに、系統図レイアウトを加工するリレイアウト処理手段６ｓを制御する。
【００８４】
図２３に、拡大表示処理手段６ｋの処理フローを示す。
【００８５】
図６を用いて、拡大表示手段６ｋの作用について説明する。
【００８６】
図２３に示した拡大表示手段６ｋの処理フローによれば、対話処理手段６ｈから系統図上のある一部分の拡大表示要求を受け取ると、その部分が拡大可能箇所かどうか系統図拡大表示テーブル６ｌを検索する。検索の結果、その箇所が拡大可能箇所であれば系統図の拡大表示情報（拡大の形と大きさ）を同テーブルから読み出す。さらに、拡大表示した時に、付加すべき詳細情報があるかどうかについて系統図詳細表示テーブル６ｏを検索し、詳細情報を読み出す。
【００８７】
読み出されたそれぞれの情報を元に、表示処理手段６ｅで作成されて拡大表示手段６ｋに伝えられている通常の系統図の対象箇所を、任意の拡大率で拡大し、詳細情報を追加した画像データを生成する。ここで、生成されたデータは、オリジナルの系統図に単に詳細情報が重ね合わされたものである。
【００８８】
リレイアウト処理手段６ｓは、このデータを、詳細情報がオリジナルの系統図にマッチングさせ、拡大表示時に、表示が重ならないように、系統図レイアウトを自動的に補正する処理を行なう。
【００８９】
補正された画像は、表示装置６ｊへ伝えられる。図２４にその動作例を示す。
【００９０】
本実施例によれば、指定した箇所を固定拡大率で拡大／縮小するか、運転員が希望する任意の拡大率で系統図の一部分を表示し、」対象箇所に詳細な情報を運転員の指示によらず自動的に追加表示することができるようになる。
【００９１】
さらに、それらの情報は、オリジナル系統図上に表示されるように、運転員の指示が無くても自動的に系統図のレイアウトが補正されるため、系統図上に小画面ウィンドウが増えるという煩雑さを回避することができる。これにより、運転員の操作量を削減することができるので、プラント監視効率の向上を図ることができる。
【産業上の利用可能性】
【００９２】
本発明によれば、プラント監視制御装置で系統図を表示するときに、運転員が希望する一部分のみを注目して監視することができるとともに、運転員の操作指示によらず自動的に行われる監視制御手段を用意したことにより、運転員のプラント監視制御装置の操作量が削減されるので、プラント監視効率を向上させることができる。この効果は、一般産業用の全てのプラントに対して適用できるものである。
【図面の簡単な説明】
【００９３】
【図１】実施例１におけるプラント監視制御装置の構成図である。
【図２】実施例２におけるプラント監視制御装置の構成図である。
【図３】実施例３におけるプラント監視制御装置の構成図である。
【図４】実施例４におけるプラント監視制御装置の構成図である。
【図５】実施例５におけるプラント監視制御装置の構成図である。
【図６】実施例６におけるプラント監視制御装置の構成図である。
【図７】実施例１における系統図拡大表示テーブル１−１である。
【図８】実施例１における系統図拡大率テーブル１ｍである。
【図９】実施例１における拡大表示処理手段１ｋのフローチヤートである。
【図１０】実施例１における系統図拡大範囲テーブル１ｎである。
【図１１】実施例１における系統図表示例である。
【図１２】実施例２における拡大表示処理手段２ｋのフローチャートである。
【図１３】実施例２における系統図詳細表示テーブル２ｏである。
【図１４】実施例２における系統図表示例である。
【図１５】実施例３における拡大表示処理手段３ｋのフローチャートである。
【図１６】実施例３における拡大詳細表示記憶テーブル３ｐである。
【図１７】実施例３における系統図表示例である。
【図１８】実施例４における拡大表示処理手段４ｋのフローチャートである。
【図１９】実施例４における自動表示テーブル４ｑである。
【図２０】実施例４における系統図表示例である。
【図２１】実施例５における拡大詳細編集手段５ｒである。
【図２２】実施例５における系統図表示例である。
【図２３】実施例６における拡大表示処理手段６ｋのフローチャートである。
【図２４】実施例６における系統図表示例である。
【図２５】従来のプラント監視制御装置の構成図である。
【図２６】表示処理手段１０ｅのフローチャートである。
【符号の説明】
【００９４】
１ａ，２ａ，３ａ，４ａ，５ａ，６ａ，１０ａ…プラント機器、１ｂ，２ｂ，３ｂ，４ｂ，５ｂ，６ｂ，１０ｂ…プロセス入出力手段、１ｃ，２ｃ，３ｃ，４ｃ，５ｃ，６ｃ，１０ｃ…制御ロジツク演算処理手段、１ｄ，２ｄ，３ｄ，４ｄ，５ｄ，６ｄ，１０ｄ…伝送処理手段、１ｅ，２ｅ，３ｅ，４ｅ，５ｅ，６ｅ，１０ｅ…表示処理手段、１ｆ，２ｆ，３ｆ，４ｆ，５ｆ，６ｆ，１０ｆ…系統図情報テーブル、１９，２９，３９，４９，５９，６９，１０９…系統図メニューテーブル、１ｈ，２ｈ，３ｈ，４ｈ，５ｈ，６ｈ，１０ｈ…対話処理手段、１ｉ，２ｉ，３ｉ，４ｉ，５ｉ，６ｉ，１０ｉ…対話装置、１ｊ，２ｊ，３ｊ，４ｊ，５ｊ，６ｊ，１０ｊ…表示装置、１ｋ，２ｋ，３ｋ，４ｋ，４ｋ，５ｋ，６ｋ，１０ｋ…拡大表示処理手段、１ｌ，２ｌ，３ｌ，４ｌ，５ｌ，６ｌ，１０ｌ…系統図拡大表示テーブル、１ｍ…系統図拡大率テーブル、２ｎ…系統図拡大範囲テーブル、３ｏ，４ｏ，５ｏ，６ｏ，…系統図詳細表示テーブル、３ｐ，４ｐ，５ｐ…拡大詳細表示記憶テーブル、４ｑ…自動表示テーブル、５ｒ…拡大詳細編集手段、６ｓ…リレイアウト処理手段、１１…制御演算部、１２…マンマシン制御部、１３…オリジナル系統図、１４…拡大表示要求後の表示
【図１】
2005275784.tif 000003
【図２】
2005275784.tif 000004
【図３】
2005275784.tif 000005
【図４】
2005275784.tif 000006
【図５】
2005275784.tif 000007
【図６】
2005275784.tif 000008
【図７】
2005275784.tif 000009
【図８】
2005275784.tif 000010
【図９】
2005275784.tif 000011
【図１０】
2005275784.tif 000012
【図１１】
2005275784.tif 000013
【図１２】
2005275784.tif 000014
【図１３】
2005275784.tif 000015
【図１４】
2005275784.tif 000016
【図１５】
2005275784.tif 000017
【図１６】
2005275784.tif 000018
【図１７】
2005275784.tif 000019
【図１８】
2005275784.tif 000020
【図１９】
2005275784.tif 000021
【図２０】
2005275784.tif 000022
【図２１】
2005275784.tif 000023
【図２２】
2005275784.tif 000024
【図２３】
2005275784.tif 000025
【図２４】
2005275784.tif 000026
【図２５】
2005275784.tif 000027
【図２６】
2005275784.tif 000028